【事件の表示】
　平成１１年特許願第２６６５３８号「パチンコ遊技機」拒絶査定不服審判事件〔平成１３年４月３日出願公開、特開２００１−８７４９９〕について、次のとおり審決する。
【結　論】
　本件審判の請求は、成り立たない。
【理　由】
１．手続の経緯
　本願は、平成１１年９月２１日の出願であって、平成１５年９月８日付けの拒絶理由通知に対し平成１５年１１月２０日付けで手続補正がなされ、平成１６年３月１９日付けの最後の拒絶理由通知に対し平成１６年６月９日付けで手続補正がなされたが、平成１６年８月１３日付けで補正却下されると共に、同日付けで拒絶査定がなされ、これに対し、平成１６年９月２４日に拒絶査定不服審判が請求されると共に、平成１６年１０月２１日付けで手続補正がなされたものである。
　
２．平成１６年１０月２１日付けの手続補正（以下、「本件補正」という。）についての補正却下の決定
［補正却下の決定の結論］
　平成１６年１０月２１日付けの手続補正を却下する。
［理由］
（１）本件補正の内容
　本件補正により、特許請求の範囲の請求項１は、次のように補正された。
　「パチンコ遊技の総括的な制御を行うメイン制御装置と、大当りまたは外れであるかを判定する大当り判定による判定の結果としての判定図柄を変動表示する図柄表示装置と、前記図柄表示装置の表示制御用のサブ制御装置とを備えたパチンコ遊技機において、
　前記図柄表示装置における判定図柄が変動を開始してから終了するまでの期間に前記図柄表示装置の表示画面で表示される表示態様パターンを、前記メイン制御装置と前記サブ制御装置とにより組合せ設定する表示態様パターン設定手段を設け、前記メイン制御装置から前記サブ制御装置への一方向のみの通信とし、
　前記表示態様パターン設定手段は、前記メイン制御装置が、前記判定図柄の変動開始に先立って抽選される各乱数用カウンタの値を用い、予め定められた複数の大分類表示態様パターンのうちの１つを選択設定すると共に、選択設定した１つの大分類表示態様パターンに対応して１つの変動パターンを決定し、決定した変動パターンに対応する変動パターン指定コマンドを前記サブ制御装置に送信するものであり、
　前記サブ制御装置は、前記変動パターン指定コマンドを受信すると、受信した１つの変動パターンについて選択可能に設定されている複数種の表示態様パターンのうちから１つの表示態様パターンに最終的に設定するものであり、
　前記１つの変動パターンについて選択可能に設定されている複数種の表示態様パターンは、前記判定図柄が変動を開始してから終了するまでの変動時間は同じであり、前記変動時間における表示態様が異なるものとされていることを特徴とするパチンコ遊技機。」
　
　上記補正は、平成１５年１１月２０日付け手続補正書の特許請求の範囲の請求項１に記載した発明を特定するために必要な事項である「サブ制御装置に送信」する構成、「変動パターン指定コマンド」及び「表示態様パターン」について限定するものと認められるから、この補正事項は、平成１８年改正前特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）先願明細書に記載の発明
　本願の出願日前の他の出願であって、その出願後に出願公開された特願平１０−３７７４３９号（特開２０００−１９７７４４号公報参照。以下、「先願」という。）の願書に最初に添付した明細書及び図面（以下、「先願明細書」という。）には、図面と共に以下の事項が記載されている。
　
【特許請求の範囲】
【請求項１】　表示状態が変化可能な複数の表示領域を有する可変表示部を含み、変動開始の条件の成立に応じて前記表示領域に表示される識別情報の変動を開始し、識別情報の表示結果があらかじめ定められた特定表示態様となったことを条件として遊技者に所定の遊技価値が付与可能となる遊技機であって、
遊技の進行を制御する遊技制御手段と、
前記可変表示部の表示制御を行う表示制御手段と、
遊技効果音を発生する音声制御手段とを備え、
前記遊技制御手段は、前記可変表示部に停止表示させる識別情報を決定する識別情報決定手段を備え、
表示制御を行うための表示制御コマンドを前記表示制御手段に出力可能であって、表示制御コマンドは、少なくとも識別情報の変動表示が行われる期間を特定可能な情報と前記識別情報決定手段によって決定された停止する識別情報を特定可能な情報とを含み、
前記表示制御手段は、表示制御コマンドを受信すると、少なくとも最終的な表示結果となる識別情報に関わらない表示内容について決定する表示内容決定手段と、表示内容決定手段の決定結果にもとづいて表示内容に対応する音声を決定する音声決定手段とを含み、音声決定手段の決定内容にもとづいた音声を前記音声制御手段に出力させる制御を行うことを特徴とする遊技機。
【請求項１４】　遊技制御手段と表示制御手段との間では、遊技制御手段から表示制御手段への方向にのみデータが転送可能である請求項１ないし請求項１３記載の遊技機。
【０００１】
【発明の属する技術分野】本発明は、パチンコ遊技機やコイン遊技機等の遊技機に関し、特に、表示状態が変化可能な可変表示装置を含み、可変表示装置における表示結果があらかじめ定められた特定の表示態様となった場合に所定の遊技価値が付与可能となる遊技機に関する。
【００４０】そして、表示制御用ＣＰＵ１０１は、受信した表示制御コマンドに従って、ＣＲＴ８２に表示される画面の表示制御を行う。…
【００５８】そして、ＣＰＵ５６は、ステップＳ５１で読み出した値、すなわち抽出されている大当り図柄判定用乱数の値にもとづいて当たり／はずれを決定する（ステップＳ５３）。…
【００５９】大当たりと判定されたときには、基本回路５３は、大当り図柄判定用乱数の値にもとづいて停止図柄を決定する。…
【００６０】さらに、ＣＰＵ５６は、変動時間決定用乱数（ランダム５）を抽出しその値にもとづいて変動時間を決定する（ステップＳ５７）。…
【００６１】はずれと判定された場合には、ＣＰＵ５６は、リーチとするか否か判定する（ステップＳ５８）。例えば、リーチ判定用の乱数であるランダム４の値が「１０５」〜「１５３０」のいずれかである場合には、リーチとしないと決定する。そして、リーチ判定用乱数の値が「０」〜「１０４」のいずれかである場合にはリーチとすることを決定する。リーチとすることを決定したときには、ＣＰＵ５６は、リーチ図柄の決定を行う。
【００６２】この実施の形態では、ランダム２−１の値に従って左右図柄を決定する（ステップＳ５９）。また、ランダム２−２の値に従って中図柄を決定する（ステップＳ６０）。すなわち、ランダム２−１およびランダム２−２の値の０〜１５の値に対応したいずれかの図柄が停止図柄として決定される。ここで、決定された中図柄が左右図柄と一致した場合には、中図柄に対応した乱数の値に１加算した値に対応する図柄を中図柄の確定図柄として、大当たり図柄と一致しないようにする。さらに、ＣＰＵ５６は、ランダム５の値に従って、変動時間を決定する（ステップＳ５７）。
【００６３】ステップＳ５８において、リーチしないことに決定された場合には、ランダム２−１〜２−３の値に応じて左右中図柄を決定する（ステップＳ６１）。以上のようにして、始動入賞にもとづく図柄変動の表示態様が大当たりとするか、リーチ態様とするか、はずれとするか決定され、それぞれの停止図柄の組合せが決定される。
【００８１】表示制御基板８０における表示制御用ＣＰＵ１０１は、主基板３１から変動時間に関する表示制御コマンドを受信すると、どの変動パターンで図柄変動表示を行うか独自に決定する。また、大当り予告を行うか否かも独自に決定する。そして、各変動パターンにおいてあらかじめ決められている背景やキャラクタを画面上で移動表示する制御を行う。なお、あらかじめ決められているタイミングで背景やキャラクタの切替も行われるが、それらも表示制御用ＣＰＵ１０１が独自に制御する。
【００９３】上述したように、基本回路５３は、始動入賞口１４への入賞を検出した後、図柄変動が開始できる状態になると、大当りとするかはずれとするか決定するとともに、可変表示部９における停止図柄を決定する。そして、表示制御基板８０に変動時間および停止図柄を指示する表示制御コマンドを与えるとともに、ランプ制御基板３５にコマンドデータを与える。表示制御基板８０における表示制御用ＣＰＵ１０１は、基本回路５３から受信した表示制御コマンドを解析し、表示制御コマンドで指令された変動時間で可変表示部９の表示制御を行う。また、ランプ制御基板３５に搭載されているＣＰＵは、基本回路５３から受信したコマンドデータで指令された態様で遊技効果ランプ・ＬＥＤ２８ａ，２９ｂ，２８ｃが点滅するように制御する。
【０１４１】以上にようにして、可変表示部９において、特別図柄の可変表示および背景画像とキャラクタの表示制御とが行われる。そして、この実施の形態では、遊技制御手段すなわち主基板３１のＣＰＵ５６は、特別図柄の変動を開始するときに、表示制御手段に対して、まず、変動時間と仮停止図柄とを含む表示制御コマンドを送信する。すると、表示制御手段すなわち表示制御基板８０の表示制御用ＣＰＵ１０１が、背景およびキャラクタを含む変動パターンを決定する。また、大当り予告を行うか否かも決定する。
【０１４２】さらに、仮停止図柄で可変表示を停止するために図柄の差し替えが必要な場合には、表示制御用ＣＰＵ１０１が仮停止図柄から算定した差し替え図柄を決定して表示制御を行う。従って、遊技制御手段は、変動時間と仮停止図柄とを含む表示制御コマンドを送信したら、図柄最終停止タイミングまで表示制御コマンドを送らなくてよい。よって、遊技制御手段の表示制御に要する負荷が低減される。
【０１４３】また、１つの変動時間に対応して複数の変動パターンが用意され、表示制御用ＣＰＵ１０１が適宜変動パターンを選択するので、遊技制御手段は、少数種類の変動時間を管理するだけでよい。
　
　前記摘示の記載を含む先願の全記載及び図示によれば、先願明細書には、以下の発明（以下、「先願発明」という。）が記載されているものと認められる。
　「表示状態が変化可能な複数の表示領域を有する可変表示部を含み、変動開始の条件の成立に応じて前記表示領域に表示される識別情報の変動を開始し、識別情報の表示結果があらかじめ定められた特定表示態様となったことを条件として遊技者に所定の遊技価値が付与可能となり、
　遊技の進行を制御する遊技制御手段と、前記可変表示部の表示制御を行う表示制御手段とを備えたパチンコ遊技機であって、
　前記遊技制御手段と前記表示制御手段との間では、前記遊技制御手段から前記表示制御手段への方向にのみデータが転送可能であり、
　前記遊技制御手段は、表示制御を行うための表示制御コマンドを前記表示制御手段に出力可能であって、前記表示制御コマンドは、変動時間決定用乱数の値にもとづいて決定され、前記識別情報の変動表示が行われる期間である変動時間を特定可能な情報と、大当り図柄判定用乱数又はランダム２−１〜２−３の値にもとづいて決定された停止する識別情報を特定可能な情報とを含み、
　前記表示制御手段は、前記表示制御コマンドを受信すると、１つの変動時間に対応して複数の用意された変動パターンから適宜選択し、背景およびキャラクタを含む変動パターンを決定するパチンコ遊技機。」
　
（３）対比・判断
　本願補正発明と先願発明を対比すると、先願発明の「可変表示部」は本願補正発明の「図柄表示装置」に対応し、以下同様に、「遊技の進行を制御する」は「パチンコ遊技の総括的な制御を行う」に、「遊技制御手段」は「メイン制御装置」に、「可変表示部の表示制御を行う」は「図柄表示装置の表示制御用の」に、「表示制御手段」は「サブ制御装置」に、「パチンコ遊技機」は「パチンコ遊技機」に、「前記遊技制御手段と前記表示制御手段との間では、前記遊技制御手段から前記表示制御手段への方向にのみデータが転送可能であり」は「メイン制御装置からサブ制御装置への一方向のみの通信とし」に各々対応すると共に、以下（ア）乃至（エ）のことがいえる。
　
　（ア）先願発明の「変動開始の条件の成立に応じて前記表示領域に表示される識別情報の変動を開始し、識別情報の表示結果があらかじめ定められた特定表示態様となったことを条件として遊技者に所定の遊技価値が付与可能とな」る構成、「前記遊技制御手段は、表示制御を行うための表示制御コマンドを前記表示制御手段に出力可能であって、…大当り図柄判定用乱数又はランダム２−１〜２−３の値にもとづいて決定された停止する識別情報を特定可能な情報とを含」む構成について検討すると、
　先願発明の「決定された停止する識別情報」は本願補正発明の「大当りまたは外れであるかを判定する大当り判定による判定の結果」ということができ、同様に、「表示領域に表示される識別情報の変動を開始」は「判定図柄を変動表示する」ということができる。
　そうすると、先願発明は、本願補正発明の「パチンコ遊技の総括的な制御を行うメイン制御装置と、大当りまたは外れであるかを判定する大当り判定による判定の結果としての判定図柄を変動表示する図柄表示装置と、前記図柄表示装置の表示制御用のサブ制御装置とを備えたパチンコ遊技機」に対応する構成を備えるものである。
　
　（イ）先願発明の「前記遊技制御手段は、表示制御を行うための表示制御コマンドを前記表示制御手段に出力可能であって、前記表示制御コマンドは、変動時間決定用乱数の値にもとづいて決定され、前記識別情報の変動表示が行われる期間である変動時間を特定可能な情報と、大当り図柄判定用乱数又はランダム２−１〜２−３の値にもとづいて決定された停止する識別情報を特定可能な情報とを含み、
　前記表示制御手段は、前記表示制御コマンドを受信すると、１つの変動時間に対応して複数の用意された変動パターンから適宜選択し、背景およびキャラクタを含む変動パターンを決定する」構成（以下、「構成（イ）」という。）について検討すると、
　先願発明は「表示制御コマンド」を介して「遊技制御手段（メイン制御装置）」と「表示制御手段（サブ制御装置）」とにより、「識別情報の変動表示が行われる期間」、即ち、「図柄表示装置における判定図柄が変動を開始してから終了するまでの期間」に、図柄表示装置の表示画面で表示される「背景およびキャラクタを含む変動パターンを決定する」ものである。
　そうすると、先願発明は、本願補正発明の「図柄表示装置における判定図柄が変動を開始してから終了するまでの期間に前記図柄表示装置の表示画面で表示される表示態様パターンを、メイン制御装置とサブ制御装置とにより組合せ設定する表示態様パターン設定手段を設け」る構成を備えるものである。
　
　（ウ）引き続き、先願発明の構成（イ）について検討すると、
　先願明細書には、「【００４０】そして、表示制御用ＣＰＵ１０１は、受信した表示制御コマンドに従って、ＣＲＴ８２に表示される画面の表示制御を行う。…」と記載されており、この記載によれば、表示制御を行うための表示制御コマンドが遊技制御手段から表示制御手段に出力される前に用いられる先願発明の「変動時間決定用乱数」及び「大当り図柄判定用乱数又はランダム２−１〜２−３」は、本願補正発明の「判定図柄の変動開始に先立って抽選される各乱数用カウンタの値」ということができ、
　また、先願発明の「変動時間決定用乱数」及び「大当り図柄判定用乱数又はランダム２−１〜２−３」により決定される情報は、「予め定められた複数の大分類表示態様パターンのうちの１つを選択設定」したものであり、当該「選択設定した１つの大分類表示態様パターン」から「１つの変動パターン」が一義的に決定されるといえる。そして、先願発明は、決定した「１つの変動パターン」を「変動パターン指定コマンド」として、「表示制御手段（サブ制御装置）」に送信するものである。
　そうすると、先願発明は、本願補正発明の「前記表示態様パターン設定手段は、前記メイン制御装置が、前記判定図柄の変動開始に先立って抽選される各乱数用カウンタの値を用い、予め定められた複数の大分類表示態様パターンのうちの１つを選択設定すると共に、選択設定した１つの大分類表示態様パターンに対応して１つの変動パターンを決定し、決定した変動パターンに対応する変動パターン指定コマンドを前記サブ制御装置に送信するものであ」る構成を備えるものである。
　
　（エ）引き続き、先願発明の構成（イ）について検討すると、
　先願発明の表示制御手段（サブ制御装置）は、表示制御コマンドを受信すると、「１つの変動時間に対応して複数の用意された変動パターンから適宜選択」するものであり、「用意された変動パターンから」選択する以上、先願発明の「１つの変動時間に対応して複数の用意された変動パターン」は、本願補正発明の「受信した１つの変動パターンについて選択可能に設定されている複数種の表示態様パターン」ということができる。
　そうすると、先願発明は、本願補正発明の「前記サブ制御装置は、前記変動パターン指定コマンドを受信すると、受信した１つの変動パターンについて選択可能に設定されている複数種の表示態様パターンのうちから１つの表示態様パターンに最終的に設定するものであ」る構成を備えるものである。
　
　（オ）引き続き、先願発明の構成（イ）について検討すると、
　先願発明の「１つの変動時間」は、「変動時間決定用乱数の値にもとづいて決定され、識別情報の変動表示が行われる期間である変動時間」を意味することが明らかであるから、先願発明は、本願補正発明の「前記１つの変動パターンについて選択可能に設定されている複数種の表示態様パターンは、前記判定図柄が変動を開始してから終了するまでの変動時間は同じであり、前記変動時間における表示態様が異なるものとされている」構成を備えるものである。
　
　以上を勘案すると、先願発明は、本願補正発明の全ての構成を備えるものであり、実質的相違点が見あたらない以上、両者は同一の発明というべきである。
　
　したがって、本願補正発明は、先願明細書に記載された発明と同一であり、しかも、本願補正発明の発明者が上記先願明細書に記載された発明の発明者と同一であるとも、また、本願の出願時に、その出願人が上記他の出願の出願人と同一であるとも認められないので、本願発明は、特許法第２９条の２第１項の規定により特許出願の際独立して特許を受けることができないものである。
　
（５）むすび
　以上のとおり、本件補正は、平成１８年改正前特許法第１７条の２第５項で準用する同法第１２６条第５項の規定に違反するものであり、特許法第１５９条第１項で準用する特許法第５３条第１項の規定により却下されるべきものである。
　
３．本願発明について
　平成１６年１０月２１日付けの手続補正は上記のとおり却下されたので、本願の請求項１及び２に係る発明は、平成１５年１１月２０日付け手続補正書の特許請求の範囲の請求項１及び２に記載されたとおりのものと認められるところ、その請求項１に記載された発明（以下「本願発明」という。）は次のとおりである。
　「パチンコ遊技の総括的な制御を行うメイン制御装置と、大当りまたは外れであるかを判定する大当り判定による判定の結果としての判定図柄を変動表示する図柄表示装置と、前記図柄表示装置の表示制御用のサブ制御装置とを備えたパチンコ遊技機において、
　前記図柄表示装置における判定図柄が変動を開始してから終了するまでの期間に前記図柄表示装置の表示画面で表示される表示態様パターンを、前記メイン制御装置と前記サブ制御装置とにより組合せ設定する表示態様パターン設定手段を備え、該表示態様パターン設定手段は、前記メイン制御装置が、前記判定図柄の変動開始に先立って抽選される各乱数用カウンタの値を用い、予め定められた複数の大分類表示態様パターンのうちの１つを選択設定して変動パターン指定コマンドを前記サブ制御装置に送信し、さらに前記サブ制御装置が前記変動パターン指定コマンドを受けると、前記メイン制御装置が設定した前記１つの大分類表示態様パターンの選択可能な範囲内で、複数の表示態様パターンのうちから１つの表示態様パターンに最終的に設定するものであることを特徴とするパチンコ遊技機。」
　
（１）引用例に記載の発明
　原査定の拒絶理由に引用された、本願の出願の日前である平成１１年３月２３日に頒布された特開平１１−７６５７１号公報（以下、「引用例」という。）には、以下の事項が記載されている。
　
【特許請求の範囲】
【請求項１】遊技の制御を司る主制御部と、図柄表示装置の表示を制御する図柄制御部とを備え、
前記図柄制御部が前記図柄表示装置における表示態様を独自に決定するとともに、前記主制御部と前記図柄制御部との間で双方向のデータ伝送を行うことを特徴とする弾球遊技機。
【００１４】…主制御部１４０は、上述の各種検知スイッチの出力に基づいて遊技状態を判断し、遊技状態を表す情報を特別図柄制御部１６０へ送信する。主制御部１４０から特別図柄制御部１６０へ送信される情報は、第一種始動口（普通電動役物）入賞検知スイッチ８３、カウント検知スイッチ８６、カウント検知及び特定領域通過検知スイッチ８７等の検知結果や、特別図柄当否判定乱数の取得値などであり、特別図柄制御部１６０に知らされる遊技状態は、遊技が行われていない客待ちの状態、遊技は行われているが始動入賞がない状態(変動準備状態)、始動入賞が有った状態、及び、特別遊技状態などである。始動入賞が検知されると、主制御部１４０から乱数値が読み出されて当りの当否判定が行われるとともに、乱数値や判定結果が特別図柄制御部１６０へ送られる。
【００１５】特別図柄制御部１６０から主制御部１４０へは、特別図柄当否判定結果、特別図柄の表示態様、確率変動や時短などの遊技条件変動情報、音声情報、枠飾り制御情報、表示トラブルの有無などの情報が送信される。そして、枠飾りランプ基板１６等の各種ランプやサウンドジェネレータ９４は、枠制御部１５０により、特別図柄の変動・停止態様、リーチ発生の有無、リーチ態様(全回転、コマ送り、逆進、図柄の拡大・縮小など)、特別遊技、及び遊技モード(確率変動、時短など)等に応じた態様で制御される。
【００１９】特別図柄表示装置３３に表示される左図柄表示領域３４ないし右図柄表示領域３６の表示態様の変化を図２０〜図２２を参照して説明する。図柄表示領域３４〜３６は例えば特別図柄の停止動作中（高速変動状態から確定に至るまでの間）に変化する。この際の変化の態様には、図２０の例２、図２１の例４〜６、図２２の例７〜９の態様が適宜選択される。つまり、図２０の例２は図柄変動開始時（例１）から全図柄確定時（例３）の間に所定の確率で選択・実行される態様の一例を示しており、この例２の態様においては左右の図柄表示領域３４、３６の上下図柄が消滅し、左右確定図柄（中段の図柄）が縮小される。また、くらげリーチ（図１８中段、図２９参照）においては、例２の態様の後に図２１の例４〜例６の態様へ変化し、例４〜例６の態様においては中図柄表示領域３５が矢印で示すように左右に往復移動する。さらに、あんこうリーチ（図１７下段、図２７参照）においては、図２０の例２の態様の後に図２２の例７、８の態様へ変化し、例７、８の態様では中図柄表示領域３５の透明度が徐々に上げられ、中図柄表示領域３５が一旦半透明になる。この後、透明度が下げられ、中図柄が再び明瞭に表示される。そして、これら例７、８の動作が繰返される。また、玉手箱リーチ（図１８上段、図２８参照）においては、図２０の例２の後に図２２の例９の態様へ変化し、例９の態様では中図柄表示領域３５の上下図柄も消滅する。…
【００２０】次に、主制御部１４０と特別図柄制御部１６０にて実行される各種のジョブのうち、主要なジョブについて説明する。まず、主制御部１４０により実行されるメインジョブを図３４を参照して説明する。これは主制御部１４０のＲＯＭ１４３に格納されたプログラムを読み出し、特別図柄制御部１６０からの情報も参照し、ＣＰＵ１４１により実行されるものである。…
特別図柄管理ジョブ(Ｓ９０)では、主制御部１４０と特別図柄制御部１６０とが協調して動作するために必要なデータの処理が行われる。特別図柄制御部１６０へ送られる情報は、第一種始動口（普通電動役物）入賞検知スイッチ８３、カウント検知スイッチ８６、カウント検知及び特定領域通過検知スイッチ８７の検知結果やエラー発生などを示すデータである。…
【００２２】図３５に示す特別図柄メインジョブは、特別図柄制御部１６０のＲＯＭ１６３に格納されたプログラムを読み出し、主制御部１４０から送られた情報も参照し、ＣＰＵ１６１により実行されるものである。先ず、始動口判定ジョブ(Ｓ２００)が行われ、図８に示す特別図柄当否判定乱数メモリ、特別図柄保留数メモリ、予告動作判定乱数メモリの数値が特別図柄作動保留球数メモリの数値に基づいて所定の記憶領域に記憶される。更に、特別図柄処理時間メモリの情報がアキュムレータD(AccD)にセットされ(Ｓ２１０)、特別図柄処理番号メモリを使用してモジュール（図９参照）の呼び出しが行われる(Ｓ２２０)。即ち、図９に示す各プログラムモジュールが遊技状態に応じて適宜選択されて実行される。大当りや外れリーチの態様が実行される場合には、No４〜９のリーチに関するモジュールが選択されるが、その被選択確率は、大当りに対する信頼度数が均等にならないよう適宜設定されている。特別図柄の変動時間は、通常状態、高確率状態、普通図柄保留表示LED５８に表示される保留数が所定値(例えば４)にある場合、及び、変動時間短縮状態(いわゆる時短モード)などの場合で異なっており、変動時間制御は各種の状態に応じて行われる。図柄が確定表示される際には、特別図柄確定ジョブが実行され、所定の時間が経過する毎に左・右・中の順で特別図柄が特別図柄表示装置３３に確定表示される。なお、リ−チや当りの図柄変動の終盤から確定表示に至るまでの態様には、高速変動、コマ送り、逆進などの種々の態様が設定されている。当りの場合、当り図柄が確定表示された後、大入賞口閉口ジョブと大入賞口開口ジョブとが交互に実行される。この際には、特別遊技の進行に合わせてラウンド数が表示される。本具体例では、１６ラウンドが終了すると、ラウンド終了ジョブが実行され、特別遊技の終了が遊技者に告知される。
　
　前記摘示の記載を含む引用例の全記載及び図示によれば、引用例には、以下の発明（以下、「引用発明」という。）が記載されているものと認められる。
　「遊技の制御を司る主制御部１４０と、大当りまたは外れであるかを判定する特別図柄当否判定結果としての当り図柄を変動表示する特別図柄表示装置３３と、前記特別図柄表示装置３３の表示を制御する図柄制御部１６０とを備えた弾球遊技機において、
　前記特別図柄表示装置３３に表示される左図柄表示領域３４ないし右図柄表示領域３６の表示態様の変化を図柄変動開始時から全図柄確定時の間に所定の確率で実行される態様を、主制御部１４０と特別図柄制御部１６０とが協調して選択する弾球遊技機。」
　
（２）対比
　本願発明と引用発明を対比すると、引用発明の「遊技の制御を司る」は本願発明の「パチンコ遊技の総括的な制御を行う」に対応し、以下同様に、「主制御部１４０」は「メイン制御装置」に、「大当りまたは外れであるかを判定する特別図柄当否判定結果としての当り図柄を変動表示する」は「大当りまたは外れであるかを判定する大当り判定による判定の結果としての判定図柄を変動表示する」に、「特別図柄表示装置３３」は「図柄表示装置」に、「特別図柄表示装置３３の表示を制御する」は「図柄表示装置の表示制御用の」に、「図柄制御部１６０」は「サブ制御装置」に、「弾球遊技機」は「パチンコ遊技機」に、「図柄変動開始時から全図柄確定時の間」は「図柄表示装置における判定図柄が変動を開始してから終了するまでの期間」に各々対応すると共に以下のことがいえる。
　
　引用発明の「特別図柄表示装置３３に表示される左図柄表示領域３４ないし右図柄表示領域３６の表示態様の変化を図柄変動開始時から全図柄確定時の間に所定の確率で実行される態様を、主制御部１４０と特別図柄制御部１６０とが協調して選択する」構成について検討すると、
　引用発明の「特別図柄表示装置３３に表示される左図柄表示領域３４ないし右図柄表示領域３６の表示態様の変化」と本願発明の「図柄表示装置の表示画面で表示される表示態様パターン」は、「図柄表示装置の表示画面で表示される表示態様」で共通し、
　引用発明の「選択」と本願発明の「組合せ設定」は、少なくとも「決定」を行っているものであるから、「メイン制御装置とサブ制御装置とにより決定する表示態様決定手段」で共通のものということができる。
　そうすると、引用発明の上記構成は、本願発明の「図柄表示装置における判定図柄が変動を開始してから終了するまでの期間に図柄表示装置の表示画面で表示される表示態様パターンを、メイン制御装置とサブ制御装置とにより組合せ設定する表示態様パターン設定手段を備え」る構成と、「図柄表示装置における判定図柄が変動を開始してから終了するまでの期間に図柄表示装置の表示画面で表示される表示態様を、メイン制御装置とサブ制御装置とにより決定する表示態様決定手段を備え」る点で共通するものである。
　
　以上を勘案すると、両者は、「パチンコ遊技の総括的な制御を行うメイン制御装置と、大当りまたは外れであるかを判定する大当り判定による判定の結果としての判定図柄を変動表示する図柄表示装置と、前記図柄表示装置の表示制御用のサブ制御装置とを備えたパチンコ遊技機において、
　前記図柄表示装置における判定図柄が変動を開始してから終了するまでの期間に前記図柄表示装置の表示画面で表示される表示態様を、前記メイン制御装置と前記サブ制御装置とにより決定する表示態様決定手段を備えたパチンコ遊技機。」で一致し、以下の点で相違する。
　
　相違点；表示態様決定手段について、本願発明は、表示態様パターンを組合せ設定するのに対して、引用発明は、「パターン」を「組合せ」により「設定」するものではなく、
　さらに、本願発明は、「該表示態様パターン設定手段は、前記メイン制御装置が、前記判定図柄の変動開始に先立って抽選される各乱数用カウンタの値を用い、予め定められた複数の大分類表示態様パターンのうちの１つを選択設定して変動パターン指定コマンドを前記サブ制御装置に送信し、さらに前記サブ制御装置が前記変動パターン指定コマンドを受けると、前記メイン制御装置が設定した前記１つの大分類表示態様パターンの選択可能な範囲内で、複数の表示態様パターンのうちから１つの表示態様パターンに最終的に設定する」構成を備えるのに対して、引用発明は、そのような構成を備えるものではない点。
　
（３）判断
　上記相違点について検討すると、パチンコ遊技機において、図柄表示装置の表示画面で表示される表示態様パターンを、メイン制御装置とサブ制御装置とにより組合せ設定すること、具体的には、メイン制御装置が、表示態様に関する情報をサブ制御装置に送信し、さらにサブ制御装置が前記表示態様に関する情報を受けると、予め設定された選択可能な範囲内で、複数の表示態様パターンのうちから１つの表示態様パターンに最終的に設定すること、さらには、メイン制御装置が、判定図柄の変動開始に先立って抽選される各乱数用カウンタ、即ち、複数の乱数用カウンタの値を用い、予め定められた複数の表示態様パターンのうちの１つを選択設定することは、例えば、特開平９−１４０８７８号公報（段落０１３７，０１５７，０１９２−０１９７，０２１０，０２２５，０２４１，０２４８等を参照のこと。）、特開平６−２４６０５０号公報（段落００７８，００７９，００８５−００８７，０１２３，図７等を参照のこと。）等に記載されるように、本出願前における周知技術であるから、そのような周知技術を参酌して、引用発明においても、該相違点に係るような構成を採用することは当業者が容易に想到できることである。
　
　作用効果について
　本願発明の作用効果も、引用発明及び周知技術から当業者が予測できる域を超えるものではない。
　
（４）むすび
　以上のとおり、本願発明は、引用発明及び周知技術に基いて、当業者が容易に発明をすることができたものであるから、他の請求項について検討するまでもなく、本願は、特許法第２９条第２項の規定により特許を受けることができない。
　よって、結論のとおり審決する。